【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
スケーラブルな高効率ビデオ情報を符号化するための装置であって、
マルチレイヤピクチャのためのシンタックス要素を記憶するように構成されたメモリユニットと、
前記メモリユニットに動作可能に結合され、
参照レイヤ中の水平成分と垂直成分とを有するルーマサンプル位置と、エンハンスメントレイヤ中の水平成分と垂直成分とを有する対応するルーマサンプル位置との間のルーマ位相オフセット値を決定し、前記ルーマ位相オフセット値が、エンハンスメントレイヤルーマサンプルの単位で決定され、
前記参照レイヤ中の水平成分と垂直成分とを有するクロマサンプル位置と、前記エンハンスメントレイヤ中の水平成分と垂直成分とを有する対応するクロマサンプル位置との間のクロマ位相オフセット値を決定し、前記クロマ位相オフセット値が、エンハンスメントレイヤクロマサンプルの単位で決定され、
前記ルーマ位相オフセット値および前記クロマ位相オフセット値を表す位相オフセットを示す前記シンタックス要素を生成し、
前記シンタックス要素に基づいて、ブロックを符号化する
ように構成されたプロセッサとを備える装置。
【請求項２】
スケーラブルな高効率ビデオ情報を符号化するための方法であって、
参照レイヤ中の水平成分と垂直成分とを有するルーマサンプル位置と、エンハンスメントレイヤ中の水平成分と垂直成分とを有する対応するルーマサンプル位置との間のルーマ位相オフセット値を決定することと、前記ルーマ位相オフセット値が、エンハンスメントレイヤルーマサンプルの単位で決定され、
前記参照レイヤ中の水平成分と垂直成分とを有するクロマサンプル位置と、前記エンハンスメントレイヤ中の水平成分と垂直成分とを有する対応するクロマサンプル位置との間のクロマ位相オフセット値を決定することと、前記クロマ位相オフセット値が、エンハンスメントレイヤクロマサンプルの単位で決定され、
前記ルーマ位相オフセット値および前記クロマ位相オフセット値を表す前記位相オフセットを示すシンタックス要素を生成することと、
前記シンタックス要素に基づいて、ブロックを符号化することとを備える方法。
【請求項３】
前記シンタックス要素がさらに、エンハンスメントレイヤピクチャと、対応する参照レイヤピクチャとの間のスケーリングファクタが１に等しいとき、前記位相オフセットを０に等しくなるように制限するビットストリーム適合制限に示す、請求項１に記載の装置または請求項２に記載の方法。
【請求項４】
前記シンタックス要素が、参照レイヤルーマサンプルの水平位置とエンハンスメントレイヤルーマサンプルの水平位置との間の位相オフセット値と、参照レイヤクロマサンプルの水平位置とエンハンスメントレイヤクロマサンプルの水平位置との間の位相オフセット値と、参照レイヤルーマサンプルの垂直位置とエンハンスメントレイヤルーマサンプルの垂直位置との間の位相オフセット値と、参照レイヤクロマサンプルの垂直位置とエンハンスメントレイヤクロマサンプルの垂直位置との間の位相オフセット値とを表す、請求項１に記載の装置または請求項２に記載の方法。
【請求項５】
ＹＵＶ４２０、ＹＵＶ４２２、およびＹＵＶ４４４色フォーマットのいずれにおいても動作することをさらに備える、請求項１に記載の装置または請求項２に記載の方法。
【請求項６】
前記ルーマサンプル位置と前記クロマサンプル位置との間の相対位置と、現在レイヤと前記参照レイヤとの間のスケーリングファクタとに応じて、存在しない位相オフセット値を、決定するように前記プロセッサはさらに構成される、請求項１に記載の装置、または、決定することをさらに備える、請求項２に記載の方法。
【請求項７】
前記存在しない位相オフセットを次のように決定し、
水平ルーマ位相オフセット（ｐｈａｓｅ＿ｏｆｆｓｅｔ＿Ｘ  ｌｕｍａ）、水平クロマ位相オフセット（ｐｈａｓｅ＿ｏｆｆｓｅｔ＿Ｘ＿ｃｈｒｏｍａ）、および垂直ルーマ位相オフセット（ｐｈａｓｅ＿ｏｆｆｓｅｔ＿Ｙ＿ｌｕｍａ）のデフォルト値は０であり、
垂直クロマ位相オフセット（ｐｈａｓｅ＿ｏｆｆｓｅｔ＿Ｙ＿ｃｈｒｏｍａ）のデフォルト値は
【数１】
2017503433.tif 000001
に等しく、
ここにおいて、ｃｕｒｒＬａｙｅｒＰｉｃＨｅｉｇｈｔは現在エンハンスメントレイヤピクチャの高さであり、ｒｅｆＬａｙｅｒＰｉｃＨｅｉｇｈｔは参照レイヤピクチャの高さである、請求項６に記載の装置または方法。
【請求項８】
スケーラブルな高効率ビデオ情報を復号するための装置であって、
マルチレイヤピクチャのためのシンタックス要素を有するビットストリームを受信するように構成された受信機と、前記シンタックス要素は、ルーマ位相オフセット値およびクロマ位相オフセット値を表す位相オフセットを有し、
前記受信機に動作可能に結合され、前記シンタックス要素を記憶するように構成されたメモリユニットと、
前記メモリユニットに動作可能に結合され、
参照レイヤ中の水平成分と垂直成分とを有するルーマサンプル位置と、エンハンスメントレイヤ中の水平成分と垂直成分とを有する対応するルーマサンプル位置との間の前記ルーマ位相オフセット値を取得し、前記ルーマ位相オフセット値が、エンハンスメントレイヤルーマサンプルの単位で決定され、
前記参照レイヤ中の水平成分と垂直成分とを有するクロマサンプル位置と、前記エンハンスメントレイヤ中の水平成分と垂直成分とを有する対応するクロマサンプル位置との間の前記クロマ位相オフセット値を取得し、前記クロマ位相オフセット値が、エンハンスメントレイヤクロマサンプルの単位で決定され、
前記ルーマ位相オフセット値および前記クロマ位相オフセット値に基づいて、参照レイヤサンプル位置を導出し、
前記受信されたシンタックス要素および前記位相オフセットに基づいて、ブロックを復号する
ように構成されたプロセッサとを備える装置。
【請求項９】
スケーラブルな高効率ビデオ情報を復号するための方法であって、
マルチレイヤピクチャのためのシンタックス要素を有するビットストリームを受信することと、前記シンタックス要素は、ルーマ位相オフセット値およびクロマ位相オフセット値を表す位相オフセットを有し、
参照レイヤ中の水平成分と垂直成分とを有するルーマサンプル位置と、エンハンスメントレイヤ中の水平成分と垂直成分とを有する対応するルーマサンプル位置との間の前記ルーマ位相オフセット値を取得することと、前記ルーマ位相オフセット値が、エンハンスメントレイヤルーマサンプルの単位で決定され、
前記参照レイヤ中の水平成分と垂直成分とを有するクロマサンプル位置と、前記エンハンスメントレイヤ中の水平成分と垂直成分とを有する対応するクロマサンプル位置との間の前記クロマ位相オフセット値を取得することと、前記クロマ位相オフセット値が、エンハンスメントレイヤクロマサンプルの単位で決定され、
前記ルーマ位相オフセット値および前記クロマ位相オフセット値に基づいて、参照レイヤサンプル位置を導出することと、
前記受信されたシンタックス要素および前記位相オフセットに基づいて、ブロックを復号することとを備える方法。
【請求項１０】
エンハンスメントレイヤピクチャとその参照レイヤピクチャとの間のスケーリングファクタが１に等しいとき、ビットストリーム適合制限に基づいて、前記位相オフセットが制限される、請求項８に記載の装置または請求項９に記載の方法。
【請求項１１】
前記シンタックス要素が、参照レイヤルーマサンプルの水平位置と、参照レイヤクロマサンプルの水平位置と、参照レイヤルーマサンプルの垂直位置と、参照レイヤクロマサンプルの垂直位置とを導出するために使用される前記位相オフセットを表す、請求項８に記載の装置または請求項９に記載の方法。
【請求項１２】
色成分インデックス（ｃＩｄｘ）および、前記位相オフセット（ｐｈａｓｅ＿ｏｆｆｓｅｔ＿Ｘ＿ｌｕｍａ、ｐｈａｓｅ＿ｏｆｆｓｅｔ＿Ｘ＿ｃｈｒｏｍａ、ｐｈａｓｅ＿ｏｆｆｓｅｔ＿Ｙ＿ｌｕｍａ、ｐｈａｓｅ＿ｏｆｆｓｅｔ＿Ｙ＿ｃｈｒｏｍａ）と、スケーリングファクタ（ＳｃａｌｅＦａｃｔｏｒＸ，ＳｃａｌｅＦａｃｔｏｒＹ）とを使用して、式
【数２】
2017503433.tif 000002
【数３】
2017503433.tif 000003
【数４】
2017503433.tif 000004
【数５】
2017503433.tif 000005
を使用して、コロケートされた参照レイヤサンプル位置（ｘＲｅｆ１６，ｙＲｅｆ１６）を導出すること、
ここにおいて、ＳｃａｌｅＦａｃｔｏｒＸおよびＳｃａｌｅＦａｃｔｏｒＹは、水平方向および垂直方向における前記エンハンスメントレイヤと前記参照レイヤとの間の空間スケーリング比を指し、
ここにおいて、ｘＰ、ｙＰは、エンハンスメントレイヤピクチャにおける前記ルーマサンプルポジショノア前記クロマサンプル位置を指し、
ここにおいて、ｘＲｅｆ１６、ｙＲｅｆ１６は、１６分の１サンプルの単位で前記参照レイヤサンプル位置を指す、
を行うように前記プロセッサはさらに構成される、請求項８に記載の装置、または、を行うことをさらに備える、請求項９に記載の方法。
【請求項１３】
前記ルーマサンプル位置と前記クロマサンプル位置との間の相対位置と、現在レイヤと前記参照レイヤとの間のスケーリングファクタとに基づいて、存在しないシンタックス要素のためのデフォルト位相オフセット値を、決定するように前記プロセッサはさらに構成される、請求項８に記載の装置、または、決定することをさらに備える、請求項９に記載の方法。
【請求項１４】
前記デフォルト位相オフセットが次のように生成され、
水平ルーマ位相オフセット（ｐｈａｓｅ＿ｏｆｆｓｅｔ＿Ｘ  ｌｕｍａ）、水平クロマ位相オフセット（ｐｈａｓｅ＿ｏｆｆｓｅｔ＿Ｘ＿ｃｈｒｏｍａ）、および垂直ルーマ位相オフセット（ｐｈａｓｅ＿ｏｆｆｓｅｔ＿Ｙ＿ｌｕｍａ）のデフォルト値は０であり、
垂直クロマ位相オフセット（ｐｈａｓｅ＿ｏｆｆｓｅｔ＿Ｙ＿ｃｈｒｏｍａ）のデフォルト値は
【数６】
2017503433.tif 000006
に等しく、
ここにおいて、ｃｕｒｒＬａｙｅｒＰｉｃＨｅｉｇｈｔは現在エンハンスメントレイヤピクチャの高さであり、ｒｅｆＬａｙｅｒＰｉｃＨｅｉｇｈｔは参照レイヤピクチャの高さである、請求項１３に記載の装置または方法。
【請求項１５】
前記単位は、１６分の１サンプルである、請求項１乃至１４のうちのいずれか一項に記載の装置または方法。